(57)【特許請求の範囲】
【請求項１】
横編機の針床に沿って走行するキャリッジに編針駆動用のカムシステムとともに搭載され、キャリッジの走行時に、針床に並設される針溝に収容される編針の後端側にセレクトジャックと組合せて設けるセレクタに作用して、各編針のセレクトジャックの位置を、基準位置と複数の前進位置とのうちのいずれかとなるように選択することで、カムシステムによる駆動動作を編針毎に切換え可能な選針装置において、
各編針のセレクタには、基準位置からいずれかの前進位置へ移動するための駆動を受ける前進バットと、前進位置の数に等しい数の選針バットとをそれぞれ配置しておき、
各選針バットに対応する選針爪をそれぞれ備え、編針毎に、いずれか一つの選針爪で対応する選針バットを押圧するか、またはいずれの選針バットも押圧しないかを選択可能で、選針バットの押圧時には、キャリッジ側への前進バットの高さが異なるように、セレクタを針溝内に沈める深さが選針爪に応じて異なる選針アクチュエータと、
セレクタの前進バットに作用し、キャリッジ側への前進バットの高さに応じて異なる経路でセレクタを前進させて、セレクトジャックの位置を切換える前進用カムとを含み、
キャリッジには、選針アクチュエータの選針爪が選針バットを押圧する位相に合わせて、押圧で針溝内に沈められたセレクタの下端に当接し、セレクタを浮上させる浮上用カムが搭載され、
浮上用カムには、セレクタが針溝内に最も深く沈められる場合の深さと沈められない場合の深さとの間となる、少なくとも一つの中間の深さで、セレクタの下端に当接する平坦部が設けられており、
選針アクチュエータで、セレクタを該中間の深さよりも深く針溝内に沈める選針爪は、選針バットに対して該平坦部が設けられている範囲内では該中間の深さ以下の範囲でセレクタを針溝内に沈め、該中間の深さよりも深く沈めるために行う押圧を、該平坦部が設けられる範囲外で行う形状を有する、
ことを特徴とする選針装置。
【請求項２】
前記セレクトジャックの位置は、前記基準位置としてのＢポジション、前記前進位置としてのＨポジションおよびＡポジションの三つのうちのいずれか一つとなるように選択され、
前記セレクタは、Ｂポジションの選針で針溝内に最も深く沈められ、Ｈポジションの選針で針溝内に沈められる深さがＢポジションよりも浅い深さとなり、Ａポジションの選針で針溝内に沈められない、
ことを特徴とする請求項１記載の選針装置。
【発明の詳細な説明】
【技術分野】
【０００１】
本発明は、横編機のキャリッジに編針駆動用のカムシステムとともに搭載され、セレクタとセレクトジャックとが設けられる編針を、セレクタに作用して選択する選針装置に関する。
【背景技術】
【０００２】
従来から、横編機では、多数の編針が並設されている針床に沿って、キャリッジが一方から他方に走行方向を反転することを繰返しながら、キャリッジに搭載するカムシステムで編針を選択的に駆動して編地を編成している。各編針にはセレクタがセレクトジャックと組合わされて設けられる。編針のセレクタに作用して、カムシステムによる駆動を切換え可能にするために、キャリッジには選針装置も搭載されている（たとえば、特許文献１参照）。
【０００３】
図５（ａ）は、特許文献１の図１のように、キャリッジの地板１に搭載されるカムシステム２の例を示す。カムシステム２は、地板１の中央線１ａを挟む両側で線対称となるように、二組が搭載されている。地板１には、カムシステム２とともに、選針装置３も搭載されている。一組のカムシステム２は、渡し受け両用目移しカム１１、固定ニードルレイジングカム１２、可動ニードルレイジングカム１３、二つのステッチカム１４、およびニードルガイドカム１５などを、駆動用のカムとして含む。選針装置３は、後退用セレクタガイドカム１６、前進用セレクタガイドカム１７、セレクタレイジングカム１８、および選針アクチュエータ２０などを含む。カムシステム２には、さらに、タックプレッサ２１、ハーフプレッサ２２、および固定プレッサ２３も含まれる。セレクタ浮上カム２４は、選針装置３に含まれる。
【０００４】
図５（ｂ）は、図５（ａ）のカムシステム２および選針装置３による駆動および選針の対象となる編針３０の例を示す。編針３０は、特許文献１の図４と同様に、図示を省略している針床の針溝に収容されている状態の側面の構成として示す。針溝では、図の左方が上、右方が下となり、編針３０は図の上方の歯口に向って前進、または歯口から後退するように、進退するように駆動される。図５（ａ）に示すキャリッジの地板１は、針床の上面に臨みながら、キャリッジの往復走行によって、図５（ａ）の左右の方向に移動する。
【０００５】
編針３０は、前から後に、ニードル本体３１、ニードルジャック３２、セレクトジャック３３およびセレクタ３４を含む。ニードルジャック３２には、編成動作用バット３２ａおよび目移し動作用バット３２ｂが設けられる。セレクトジャック３３には、バット３３ａが設けられる。セレクタ３４には、前方の後退バット３４ａと後方の前進バット３４ｂとともに、その中間に、単一の選針バット３４ｃが設けられる。ただし、選針バット３４ｃの位置は、細線で示す複数の位置のうちの一つであり、隣接する針溝の編針３０間では、位置が順次ずれるようにされている。
【０００６】
カムシステム２では、渡し受け両用目移しカム１１と可動ニードルレイジングカム１３とのうちのいずれか一方が地板１から突出し、他方が地板１に没するように切換えられ、編目形成動作と目移し動作とが選択される。選針装置３は、キャリッジの走行中、セレクトジャック３３のバット３３ａがＡ，Ｈ，Ｂの三つのポジションのいずれかに移行するように切換えることが可能である。Ａポジションにはプレッサが設けられておらず、Ｈポジションにはタックプレッサ２１およびハーフプレッサ２２が設けられ、Ｂポジションには固定プレッサ２３が設けられている。三つのポジションを、たとえば、編目形成動作として基本的なニット、タック、ミスに対応させれば、各編針３０毎に動作の切換えが可能となり、多様な編地を編成することができる。
【０００７】
図５（ａ）で、たとえば中央線１ａの左側のカムシステム２が右方に移動しながら編針３０を駆動する場合、中央線１ａを挟む二つの選針アクチュエータ２０を使用して二段階の選針が行われる。中央線１ａの右側のセレクタ浮上カム２４の作用によって針溝内を浮上し、後退用セレクタガイドカム１６の後退部１６ａを通過後にＢポジションに対応する基準位置となっているセレクタ３４に対し、右側の選針アクチュエータ２０が一段階目の選針作用を行う。選針爪２０ａが選針バット３４ｃを押圧すると、以降はこの基準位置を維持する。セレクトジャック３３は、ニードルガイドカム１５の後側に設ける後退部１５ａでＡ，Ｈポジションのバット３３ａがＢポジションまで後退させられ、後退部１５ａ通過後は全てＢポジションとなる。一段階目の選針で選針爪２０ａによる選針バット３４ｃへの押圧がなければ、セレクタ３４は、前進バット３４ｂが前進用セレクタガイドカム１７の前進部１７ａでＨポジションに対応する位置まで前進し、セレクトジャック３３をバット３３ａがＨポジションとなるまで前進させる。二段階目の選針でも選針爪２０ａによる選針バット３４ｃへの押圧がなければ、セレクタ３４の前進バット３４ｂは、セレクタレイジングカム１８でさらに前進し、セレクトジャック３３のバット３３ａをＡポジションまで前進させる。二段階目の選針で選針バット３４ｃが選針爪２０ａで押圧されると、前進バット３４ｂはセレクタレイジングカム１８の作用を受けず、セレクトジャック３３のバット３３ａはＨポジションを維持する。
【先行技術文献】
【特許文献】
【０００８】
【特許文献１】国際公開第２００７／０７４９４４号パンフレット
【発明の概要】
【発明が解決しようとする課題】
【０００９】
図５（ａ）に示す構成では、二組のカムシステム２間に、選針アクチュエータ２０が二つ並設され、選針アクチュエータ２０間にもスペースが必要となるため、キャリッジの走行方向への幅が大きくなってしまう。二組のカムシステム２の外側には、一つずつの選針アクチュエータ２０を設ければよい。ただし、一つの選針アクチュエータ２０で、編針３０に対してキャリッジが抜ける際に一段階目を予備選針として行い、キャリッジの走行反転後に、予備選針された編針３０に対し、二段階目の本選針を行う必要がある。
【００１０】
本発明の目的は、一段階で、必要な選針が可能となる選針装置を提供することである。
【課題を解決するための手段】
【００１１】
本発明は、横編機の針床に沿って走行するキャリッジに編針駆動用のカムシステムとともに搭載され、キャリッジの走行時に、針床に並設される針溝に収容される編針の後端側にセレクトジャックと組合せて設けるセレクタに作用して、各編針のセレクトジャックの位置を、基準位置と複数の前進位置とのうちのいずれかとなるように選択することで、カムシステムによる駆動動作を編針毎に切換え可能な選針装置において、
各編針のセレクタには、基準位置からいずれかの前進位置へ移動するための駆動を受ける前進バットと、前進位置の数に等しい数の選針バットとをそれぞれ配置しておき、
各選針バットに対応する選針爪をそれぞれ備え、編針毎に、いずれか一つの選針爪で対応する選針バットを押圧するか、またはいずれの選針バットも押圧しないかを選択可能で、選針バットの押圧時には、キャリッジ側への前進バットの高さが異なるように、セレクタを針溝内に沈める深さが選針爪に応じて異なる選針アクチュエータと、
セレクタの前進バットに作用し、キャリッジ側への前進バットの高さに応じて異なる経路でセレクタを前進させて、セレクトジャックの位置を切換える前進用カムとを含み、
キャリッジには、選針アクチュエータの選針爪が選針バットを押圧する位相に合わせて、押圧で針溝内に沈められたセレクタの下端に当接し、セレクタを浮上させる浮上用カムが搭載され、
浮上用カムには、セレクタが針溝内に最も深く沈められる場合の深さと沈められない場合の深さとの間となる、少なくとも一つの中間の深さで、セレクタの下端に当接する平坦部が設けられており、
選針アクチュエータで、セレクタを該中間の深さよりも深く針溝内に沈める選針爪は、選針バットに対して該平坦部が設けられている範囲内では該中間の深さ以下の範囲でセレクタを針溝内に沈め、該中間の深さよりも深く沈めるために行う押圧を、該平坦部が設けられる範囲外で行う形状を有する、
ことを特徴とする選針装置である。
【００１３】
また本発明で、前記セレクトジャックの位置は、前記基準位置としてのＢポジション、前記前進位置としてのＨポジションおよびＡポジションの三つのうちのいずれか一つとなるように選択され、
前記セレクタは、Ｂポジションの選針で針溝内に最も深く沈められ、Ｈポジションの選針で針溝内に沈められる深さがＢポジションよりも浅い深さとなり、Ａポジションの選針で針溝内に沈められない、
ことを特徴とする。
【発明の効果】
【００１４】
本発明によれば、選針アクチュエータの選針爪でセレクタの選針バットを、セレクトジャックが複数個の異なる前進位置と基準位置とのうちのいずれか一つとなるように、キャリッジ側への前進バットの高さを異ならせて押圧することができる。前進用カムは、前進バットのキャリッジ側への高さに応じて、セレクタを異なる位置まで前進させ、選針アクチュエータによる一段階の選針で、セレクトジャックを複数個の前進位置のいずれかに移動させるか基準位置に留めるかを切換えることができる。
【００１５】
また、選針アクチュエータの選針爪でセレクタの選針バットを押圧し、セレクタを針溝内で中間の深さまで沈める場合に、浮上用カムに設ける平坦部で沈める深さを制限することができる。中間の深さよりも深くセレクタを沈める場合、選針バットへの押圧は浮上用カムの平坦部が設けられる範囲外で行うので、セレクタを沈める深さが中間の深さに制限されることはなく、確実に深く沈めることができる。
【００１６】
また本発明によれば、Ｂポジション、ＨポジションおよびＡポジションの３個のうちのいずれか一つの位置への選針を、一段階の選針で行わせることができる。
【図面の簡単な説明】
【００１７】
【図１】図１は、本発明の一実施例としての選針装置４０およびその関連部分の構成を示す、部分的なカム配置図、右側面断面図である。
【図２】図２は、図１の選針装置４０の主要部分の正面断面図、ならびにセレクタ４４の右側面図である。
【図３】図３は、図１に示す選針装置４０を含むカム配置図である。
【図４】図４は、図１の選針装置４０の動作を示す部分的な右側面断面図である。
【図５】図５は、従来から、キャリッジの地板１にカムシステム２とともに搭載される選針装置３の概略的な構成を示すカム配置図、および編針３０の右側面図である。
【発明を実施するための形態】
【００１８】
以下、図１および図２では、本発明の一実施例としての選針装置４０およびその関連部分の構成について説明する。図３では、図１に示す選針装置４０を含むカム配置について説明する。図４では、図１の選針装置４０の動作を説明する。これらの各図の説明では、図５を含んで、先に説明してある部分と対応する部分に同一の参照符を付して重複する説明を省略する場合がある。また、説明対象の図面には記載されていない部分について、先に説明してある参照符を付して言及する場合がある。
【実施例】
【００１９】
図１（ａ）は選針装置４０の主要部分の構成を示し、図１（ｂ）は選針装置４０で選針する編針に関する構成を示す。選針装置４０は、図示を省略しているキャリッジの地板４１に搭載されている。選針装置４０は、地板４１が針床４２に臨む表面に、中央線４１ａに対して線対称となるように配置される。針床４２では、基板４２ａから一定の間隔でニードルプレート４２ｂが立設され、ニードルプレート４２ｂ間に針溝４２ｃが形成されている。針溝４２ｃ内には、基本的に、図５（ｂ）に示す編針３０と同様な編針が収容される。ただし、図１（ｂ）では、編針の後部のセレクトジャック４３およびセレクタ４４のみを示す。編針の前部は、編針３０のニードル本体３１およびニードルジャック３２と同等である。セレクタ４４には、前方の後退バット４４ａと後方の前進バット４４ｂとの間に、Ｂ選針バット４４ｃおよびＨ選針バット４４ｄが設けられる。Ｂ選針バット４４ｃとＨ選針バット４４ｄとは、相互に間隔をあけて、二つずつ示される位置のうちのいずれか一つの位置に設けられる。
【００２０】
選針アクチュエータ５０は、Ｂ選針バット４４ｃおよびＨ選針バット４４ｄを押圧するためのＢ選針爪５０ａおよびＨ選針爪５０ｂを、それぞれ対応する数だけ備えている。各Ｂ選針爪５０ａおよびＨ選針爪５０ｂは、Ｂ選針バット４４ｃおよびＨ選針バット４４ｄへの押圧を、それぞれ電磁的に行い、個別に制御可能である。
【００２１】
図１（ｂ）のように、セレクタ４４は、Ｂポジションに相当する基準位置まで後退していると、前方のワイヤ４５を支点として、前進バット４４ｂなどを備える後方部分が針溝４２ｃ内で浮沈する揺動変位が可能となる。Ｂ選針爪５０ａがＢ選針バット４４ｃを押圧すると、セレクタ４４は針溝４２ｃ内に最も深く沈むように揺動変位し、Ｂ選針の状態となる。Ｈ選針爪５０ｂがＨ選針バット４４ｄを押圧すると、セレクタ４４は針溝４２ｃ内に、Ｂ選針よりも浅く沈むＨ選針の状態となる。Ｂ選針バット４４ｃおよびＨ選針バット４４ｄへのＢ選針爪５０ａおよびＨ選針爪５０ｂによる押圧が行われなければ、セレクタ４４は針溝４２ｃ内へは沈まないで、Ａ選針の状態となる。選針アクチュエータ５０は、セレクタ４４を針溝４２ｃに深く沈めるＢ選針爪５０ａを支点側に有するので、前進バット４４ｂの高さを大きく変化させることができる。
【００２２】
なお、セレクタ４４は、針溝４２ｃに対する摺動抵抗が比較的大きくなるようにしておき、揺動変位や進退の状態を維持させるようにしておく。また、セレクタは、複数の選針バットに対して、揺動支点を後方、キャリッジ側に突出する高さが変化する前進カムを前方に配置してもよい。選針アクチュエータおよび前進用セレクタガイドカムの配置は、選針バットおよび前進バットに合わせて対応させればよい。
【００２３】
選針装置４０は、Ａ選針、Ｈ選針またはＢ選針で、セレクトジャック４３のバット４３ａの位置を、Ａポジション、ＨポジションまたはＢポジションのいずれかに切換える点で、図５の選針装置３と同様である。ただし、選針装置４０は、選針アクチュエータ５０による一段階のみの選針で、三つのポジションの切換えを行うことができる。選針装置４０の中央線４１ａ付近の位相には、浮上用カムであるセレクタ浮上カム５４の頂部５４ａが設けられている。この位相では、Ｂ選針爪５０ａおよびＨ選針爪５０ｂがＢ選針バット４４ｃおよびＨ選針バット４４ｄをそれぞれ押圧する。セレクタ浮上カム５４は、ホルダ４１ｂによって、針溝４２ｃの後端側から内部に進出する位置で保持され、セレクタ４４の下端後部を針溝４２ｃの下方から押上げて、セレクタ４４を針溝４２ｃ内で浮上させる。
【００２４】
たとえば左行する場合は、中央線４１ａ付近で、ニードルガイドカム５５の後側の後退部５５ａを通過後、セレクトジャック４３のバット４３ａは全てＢポジションとなり、後退用セレクタガイドカム５６の後退部５６ａを通過後、セレクタ４４の後退バット４４ａがＢポジションに対応する位置まで後退させられる。
【００２５】
図２（ａ）および図２（ｂ）に示すように、セレクタ浮上カム５４には、頂部５４ａの両側に、Ｈ選針の状態のセレクタ４４の下端後部に当接する高さで、平坦部５４ｂが設けられている。図２（ｂ）に示すように、Ｈ選針バット４４ｄをＨ選針爪５０ｂで押圧するときには、平坦部５４ｂでセレクタ４４が沈む深さが制限される。図２（ａ）に示すように、Ｂ選針爪５０ａは、丈５０ａＬがＨ選針爪５０ｂの丈５０ｂＬよりも高くなる部分が平坦部５４ｂの範囲外となるような形状を有する。この形状のＢ選針爪５０ａは、平坦部５４ｂの範囲内でセレクタ４４をＨ選針の中間深さまで沈め、平坦部５４ｂの範囲外でＢ選針の最大深さまで沈める。
【００２６】
図１（ａ）に示すように、選針アクチュエータ５０よりも後方には、セレクタ４４の前進バット４４ｂに作用して、セレクタ４４を前進させる前進用カムとしての前進用セレクタガイドカム５７が設けられている。前進用セレクタガイドカム５７には、選針アクチュエータ５０のＢ選針爪５０ａまたはＨ選針爪５０ｂによる選針結果を反映させるために、Ａ用カム面５７ａおよびＨ用カム面５７ｂが設けられている。Ａ用カム面５７ａとＨ用カム面５７ｂとの間は、中間高さ面５７ｃとなっている。Ａ用カム面５７ａは地板４１の表面から中間高さ面５７ｃまでの側面に形成される。Ｈ用カム面５７ｂは、中間高さ面５７ｃと前進用セレクタガイドカム５７の表面との段差面に形成される。前進用セレクタガイドカム５７には、Ａ用カム面５７ａ、Ｈ用カム面５７ｂ、および中間高さ面５７ｃが形成されている領域に続いて、地板４１の表面まで高さが低下する傾斜面５７ｄが設けられている。
【００２７】
選針アクチュエータ５０でＡ選針の状態となっているセレクタ４４は、前進バット４４ｂがキャリッジ側に高く突出しているので、Ａ用カム面５７ａに当接して、軌跡４４ｂＡに沿って前進する。この結果、後退バット４４ａは、軌跡４４ａＡに沿って前進し、セレクトジャック４３のバット４３ａを軌跡４３ａＡに沿って前進させ、Ａポジションに移動させる。
【００２８】
選針アクチュエータ５０でＨ選針の状態となっているセレクタ４４は、針溝４２ｃに中間の深さまで沈む。前進バット４４ｂは、キャリッジ側へ中間の高さまで突出するので、Ｈ用カム面５７ｂに当接して、軌跡４４ｂＨに沿って前進する。この結果、後退バット４４ａは、軌跡４４ａＨに沿って前進し、セレクトジャック４３のバット４３ａを軌跡４３ａＨに沿って前進させ、Ｈポジションに移動させる。
【００２９】
選針アクチュエータ５０でＢ選針の状態となっているセレクタ４４は、針溝４２ｃ内に中間の深さより深く沈む。前進バット４４ｂは、Ｈ用カム面５７ｂに当接する高さに達しないで、軌跡４４ｂＢに沿ってＨ用カム面５７ｂの作用を受けずに通過してしまう。この結果、セレクタ４４およびセレクトジャック４３は後退用セレクタガイドカム５６の後退部５６ａ、およびニードルガイドカム５５の後側の後退部５５ａで、それぞれ後退させられた位置を保つ軌跡４４ｂＢ，４４ａＢ，４３ａＢに沿い、バット４３ａはＢポジションに留まる。なお、前進用セレクタガイドカム５７の傾斜面５７ｄ側から相対的に接近するセレクタ４４は、前進バット４３ｂが傾斜面５７ｄを通って、中央線４１ａ付近まで達することができる。図５のカム配置では、各選針アクチュエータ２０毎に設けられるセレクタレイジングカム１８に対し、キャリッジの走行方向に応じて、先行側を没にするために、出没可能であることを必要とする。しかしながら、前進用セレクタガイドカム５７は出没させる必要がない。
【００３０】
図２（ｃ）および図２（ｄ）は、二種類のセレクタ４４について、Ｂ選針バット４４ｃおよびＨ選針バット４４ｄの位置の違いを示す。編針の配置のピッチが狭い細ゲージの場合は、セレクタ４４の種類を多くして、種類の数に応じて、Ｂ選針バット４４ｃおよびＨ選針バット４４ｄとともに、Ｂ選針爪５０ａおよびＨ選針爪５０ｂの数も増やすようにすればよい。
【００３１】
なお、セレクタ４４の前進バット４４ｂは、セレクタ４４の後端側に設けられ、複数のＢ選針バット４４ｃおよびＨ選針バット４４ｄは、前進バット４４ｂよりも前方に配列される。揺動支点となるワイヤ４５は、図１（ｂ）に示すように、Ｂ選針バット４４ｃよりも前方となる。Ｂ選針バット４４ｃの背の高さよりも、揺動支点から遠いＨ選針バット４４ｄの背の高さを高くすれば、Ｂ選針でセレクタ４４が針溝４２ｃに沈む状態で、Ｂ選針バット４４ｃおよびＨ選針バット４４ｄの高さを同等にすることができる。
【００３２】
図３は、図１に示す選針装置４０を含むカム配置を示す。地板４１には、中央線４１ａの両側にそれぞれカムシステム７２が設けられる。選針装置４０は、中央線４１ａに関して左右対称の構成を有する。地板４１の左右に設ける選針装置６０，７０では、後退用セレクタガイドカム６６，７６と、前進用セレクタガイドカム６７，７７とに、後退用セレクタガイドカム５６および前進用セレクタガイドカム５７の半分とそれぞれ同等のカムを設ける。すなわち、選針装置４０の右側半分が左側の選針装置６０と同等であり、選針装置４０の左側半分が右側の選針装置７０と同等であり、それぞれ三つのポジションへの選針が可能である。選針装置４０での三つのポジションへの選針が一段階で可能となるので、カムシステム７２の間隔を狭くして、キャリッジのコンパクト化を図ることができる。キャリッジの走行方向に応じて先行側となる選針装置６０，７０では、一段階で三つのポジションへの選針が可能となるので、キャリッジが抜ける際の予備選針が不要となる。
【００３３】
図４は、図１の選針装置４０の動作を示す。図４（ａ）は、選針直前の状態を示す。セレクタ４４の後端は、セレクタ浮上カム５４の頂部５４ａで押上げられている。図４（ｂ）、（ｃ）、（ｄ）は、Ａ選針、Ｈ選針、Ｂ選針の状態をそれぞれ示す。Ａ選針およびＨ選針では、セレクタ４４の前進バット４４ｂが前進用セレクタガイドカム５７のＡ用カム面５７ａおよびＨ用カム面５７ｂでそれぞれ前進させられる。Ｂ選針では、前進用セレクタガイドカム５７はセレクタ４４の前進バット４４ｂを前進させない。
【００３４】
なお、選針装置４０，６０，７０では、セレクトジャック４３をＡポジションおよびＨポジションの二種類の前進位置とＢポジションの基準位置とに切換えるために、セレクタ４４に二種類の選針バット、選針アクチュエータ５０に二種類の選針爪、前進用セレクタガイドカム５７，６７，７７に二種類のカム面を設けている。セレクタ４４に設ける選針バットの種類を増やし、対応して選針アクチュエータの選針爪の種類、および前進用セレクタガイドカムのカム面の種類をそれぞれ増やせば、三種類以上の前進位置を切換えることも可能になる。セレクタ４４を針溝４２ｃに沈める中間の深さも二種類以上になるけれども、セレクタ浮上カム５４に設ける平坦部５４ｂは、いずかの中間の深さに対応して一つだけ設けるようにしてもよい。また、複数の平坦部を設けることもできる。選針爪で選針バットを平坦部よりも深く沈める部分は、平坦部を設ける範囲外にしておけばよい。
【符号の説明】
【００３５】
４０，６０，７０  選針装置
４２  針床
４２ｃ  針溝
４３  セレクトジャック
４３ａ  バット
４４  セレクタ
４４ａ  後退バット
４４ｂ  前進バット
４４ｃ  Ｂ選針バット
４４ｄ  Ｈ選針バット
５０  選針アクチュエータ
５０ａ  Ｂ選針爪
５０ｂ  Ｈ選針爪
５４  セレクタ浮上カム  
５４ｂ  平坦部
５７  前進用セレクタガイドカム
５７ａ  Ａ用カム面
５７ｂ  Ｈ用カム面
５７ｃ  中間高さ面
７２  カムシステム
【図１】
0005719557.tif 000002
【図２】
0005719557.tif 000003
【図３】
0005719557.tif 000004
【図４】
0005719557.tif 000005
【図５】
0005719557.tif 000006